(57)【要約】【課題】複数のユーザによるコンテンツの推薦を促進することを可能とする。【解決手段】コンテンツを指定する指定情報を複数のユーザの各々から取得する取得部と、前記複数のユーザから取得された複数の前記指定情報に基づいて、各コンテンツが前記複数のユーザから指定された回数を算出し、算出された前記回数に基づいて前記複数のユーザへのインセンティブの付与を制御する制御部と、を備える情報処理装置を提供する。【選択図】図２
2016113958.tif 000002
【特許請求の範囲】
【請求項１】
コンテンツを指定する指定情報を複数のユーザの各々から取得する取得部と、
前記複数のユーザから取得された複数の前記指定情報に基づいて、各コンテンツが前記複数のユーザから指定された回数を算出し、算出された前記回数に基づいて前記複数のユーザへのインセンティブの付与を制御する制御部と、
を備える情報処理装置。
【請求項２】
前記インセンティブは、ユーザに付与されるポイントを含み、
前記制御部は、前記複数のユーザの各々に付与された前記ポイントに基づいて、前記複数のユーザの順位付けを行う、
請求項１に記載の情報処理装置。
【請求項３】
前記制御部は、ユーザがコンテンツを指定することができる期間を所定期間に制限する、請求項１に記載の情報処理装置。
【請求項４】
前記制御部は、前記所定期間内に各ユーザが指定することができるコンテンツの数を決定する、請求項３に記載の情報処理装置。
【請求項５】
前記制御部は、前記各ユーザの前記情報処理装置へのアクセス頻度に基づいて、前記各ユーザが前記所定期間内に指定することができるコンテンツの数を決定する、請求項４に記載の情報処理装置。
【請求項６】
前記制御部は、算出された前記回数に基づいてコンテンツを抽出し、抽出されたコンテンツを指定したユーザへインセンティブを付与する、請求項１に記載の情報処理装置。
【請求項７】
前記制御部は、前記抽出されたコンテンツを指定したユーザによる、前記情報処理装置が提供するネットワークサービス以外のネットワークサービス上での前記抽出されたコンテンツの他のユーザとの共有を許可する、請求項６に記載の情報処理装置。
【請求項８】
前記制御部は、前記他のユーザとの共有を行ったユーザに、さらに前記インセンティブを付与する、請求項７に記載の情報処理装置。
【請求項９】
前記指定情報は、コンテンツに対する印象をそれぞれ表す複数のオブジェクトの中から、ユーザにより選択されたオブジェクトに関するオブジェクト情報を含む、請求項１に記載の情報処理装置。
【請求項１０】
前記制御部は、ユーザへ付与されるインセンティブを前記複数のユーザから取得された複数の前記オブジェクト情報に基づいて制御する、請求項９に記載の情報処理装置。
【請求項１１】
前記取得部は、各コンテンツのカテゴリ情報を取得し、
前記制御部は、前記カテゴリ情報及び算出された前記回数に基づいて前記複数のユーザへのインセンティブの付与を制御する、
請求項１に記載の情報処理装置。
【請求項１２】
コンテンツを指定する指定情報を複数のユーザの各々から情報処理装置によって取得することと、
前記複数のユーザから取得された複数の前記指定情報に基づいて、各コンテンツが前記複数のユーザから指定された回数を算出することと、
算出された前記回数に基づいて前記複数のユーザへのインセンティブの付与を制御することと、
を含む情報処理方法。
【請求項１３】
情報処理装置を制御するコンピュータを、
コンテンツを指定する指定情報を複数のユーザの各々から取得する取得部と、
前記複数のユーザから取得された複数の前記指定情報に基づいて、各コンテンツが前記複数のユーザから指定された回数を算出し、算出された前記回数に基づいて前記複数のユーザへのインセンティブの付与を制御する制御部と、
として機能させるためのプログラム。
【発明の詳細な説明】
【技術分野】
【０００１】
本開示は、情報処理装置、情報処理方法及びプログラムに関する。
【背景技術】
【０００２】
近年、ユーザへ様々な情報を提供するサービスとして、ネットワークを介しコンテンツをユーザへ提供するサービスが利用されている。【０００３】
例えば、特許文献１には、ユーザの所望のコンテンツを精度良く提供するために、コンテンツを推薦する複数の推薦者の各々に対するユーザの評価値に基づくコンテンツをユーザへ提供するサービスが開示されている。
【先行技術文献】
【特許文献】
【０００４】
【特許文献１】特開２０１３−２５４２８８号公報
【発明の概要】
【発明が解決しようとする課題】
【０００５】
ところで、コンテンツをユーザへ提供するサービスにおいて、複数のユーザによるコンテンツの推薦を促進することが望まれ得る。【０００６】
そこで、本開示では、複数のユーザによるコンテンツの推薦を促進することが可能な、新規かつ改良された情報処理装置、情報処理方法及びプログラムを提案する。
【課題を解決するための手段】
【０００７】
本開示によれば、コンテンツを指定する指定情報を複数のユーザの各々から取得する取得部と、前記複数のユーザから取得された複数の前記指定情報に基づいて、各コンテンツが前記複数のユーザから指定された回数を算出し、算出された前記回数に基づいて前記複数のユーザへのインセンティブの付与を制御する制御部と、を備える情報処理装置が提供される。【０００８】
また、本開示によれば、コンテンツを指定する指定情報を複数のユーザの各々から情報処理装置によって取得することと、前記複数のユーザから取得された複数の前記指定情報に基づいて、各コンテンツが前記複数のユーザから指定された回数を算出することと、算出された前記回数に基づいて前記複数のユーザへのインセンティブの付与を制御することと、を含む情報処理方法が提供される。【０００９】
また、本開示によれば、情報処理装置を制御するコンピュータを、コンテンツを指定する指定情報を複数のユーザの各々から取得する取得部と、前記複数のユーザから取得された複数の前記指定情報に基づいて、各コンテンツが前記複数のユーザから指定された回数を算出し、算出された前記回数に基づいて前記複数のユーザへのインセンティブの付与を制御する制御部と、として機能させるためのプログラムが提供される。
【発明の効果】
【００１０】
以上説明したように本開示によれば、複数のユーザによるコンテンツの推薦を促進することが可能である。【００１１】
なお、上記の効果は必ずしも限定的なものではなく、上記の効果とともに、又は上記の効果に代えて、本明細書に示されたいずれかの効果又は本明細書から把握され得る他の効果が奏されてもよい。
【図面の簡単な説明】
【００１２】
【図１】本開示の実施形態に係る情報処理システムの具体例を示す説明図である。
【図２】本開示の実施形態に係るコンテンツ提供サーバの論理的機能の構成の具体例を示す説明図である。
【図３】ユーザ端末に表示されるコンテンツリスト画面の具体例を示す説明図である。
【図４】ユーザ端末に表示されるコンテンツ詳細画面の具体例を示す説明図である。
【図５】ユーザ端末に表示されるオブジェクト選択ウィンドウの具体例を示す説明図である。
【図６】ユーザ端末に表示される確認ウィンドウの具体例を示す説明図である。
【図７】ユーザ端末に表示されるコンテンツリスト画面の具体例を示す説明図である。
【図８】ユーザ端末に表示されるコンテンツランキング画面の具体例を示す説明図である。
【図９】ユーザ端末に表示されるユーザランキング画面の具体例を示す説明図である。
【図１０】本開示の実施形態に係るコンテンツ提供サーバが行う処理の流れの具体例を示すフローチャートである。
【図１１】ユーザ端末に表示されるコンテンツランキング画面の具体例を示す説明図である。
【図１２】ユーザ端末に表示されるコンテンツ詳細画面の具体例を示す説明図である。
【図１３】本開示に係るコンテンツ提供サーバのハードウェア構成の具体例を示す説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．本開示の実施形態に係る情報処理システムの概要
２．本開示の実施形態に係るコンテンツ提供サーバ
２−１．機能構成
２−２．動作
２−３．効果
２−４．応用例
３．ハードウェア構成
４．むすび
【００１５】
＜＜１．本開示の実施形態に係る情報処理システムの概要＞＞
まず、図１を参照して、本開示の実施形態に係る情報処理システムの概要について説明する。
【００１６】
図１は、本開示の実施形態に係る情報処理システムの具体例を示す説明図である。図１に示したように、本開示の実施形態に係る情報処理システムは、コンテンツ提供元サーバＶ１〜Ｖ３、ユーザ端末Ｕ１〜Ｕ３及びコンテンツ提供サーバ１０により構成される。コンテンツ提供元サーバＶ１〜Ｖ３、ユーザ端末Ｕ１〜Ｕ３及びコンテンツ提供サーバ１０は、有線又は無線の情報ネットワーク１を介し互いに通信する。なお、図１に示したコンテンツ提供元サーバ及びユーザ端末の数は一例に過ぎず、本開示の技術的範囲は係る数に限定されない。以下、コンテンツ提供元サーバＶ１〜Ｖ３の各々又はユーザ端末Ｕ１〜Ｕ３の各々を特に区別する必要が無い場合には、コンテンツ提供元サーバＶ１〜Ｖ３及びユーザ端末Ｕ１〜Ｕ３をそれぞれ単にコンテンツ提供元サーバＶ及びユーザ端末Ｕと総称する。
【００１７】
コンテンツ提供元サーバＶ１〜Ｖ３は、有線又は無線の情報ネットワーク１を介し外部の装置に各種コンテンツを送信する。ここで、コンテンツとは、例えば、ニュースに関する情報、スポーツに関する情報、ＥＣ（Ｅｌｅｃｔｒｏｎｉｃ  Ｃｏｍｍｅｒｃｅ）サイトに掲載されている商品に関する情報、テレビ番組に関する情報、ゲームに関する情報、組織に所属する人に関する情報、又はメーカーが販売している商品に関する情報などの情報である。また、コンテンツ提供元サーバＶ１〜Ｖ３は、外部の装置に送信される各種コンテンツを随時更新する。
【００１８】
ユーザ端末Ｕ１〜Ｕ３は、画像を表示する機能及びユーザの入力を受け付ける機能を有する。ユーザ端末Ｕ１〜Ｕ３の上記機能は、例えば、パーソナルコンピュータ、スマートフォン又はタブレット端末等の機器により実現される。ユーザ端末Ｕ１〜Ｕ３は、コンテンツ提供サーバ１０に対して、ユーザ入力に応じて各種画面の表示の要求を送信する。そして、ユーザ端末Ｕ１〜Ｕ３は、コンテンツ提供サーバ１０からコンテンツ等の情報を受信し、受信された情報を表示する。ユーザは、ユーザ端末Ｕ１〜Ｕ３に表示されたコンテンツの中から他のユーザへ推薦したいコンテンツを指定することができる。そして、ユーザ端末Ｕ１〜Ｕ３は、コンテンツを指定する指定情報をユーザ入力に応じてコンテンツ提供サーバ１０へ送信する。また、ユーザ端末Ｕ１〜Ｕ３は、コンテンツ提供元サーバＶ１〜Ｖ３から送信されたコンテンツを受信し、受信されたコンテンツを表示し得る。
【００１９】
コンテンツ提供サーバ１０は、本開示に係る情報処理装置の一例である。コンテンツ提供サーバ１０は、ユーザ端末Ｕ１〜Ｕ３による各種画面の表示の要求に応じて、ユーザ端末Ｕ１〜Ｕ３にコンテンツ等の情報を送信する。例えば、コンテンツ提供サーバ１０は、コンテンツ提供元サーバＶ１〜Ｖ３から送信されるコンテンツを受信し、ユーザ端末Ｕ１〜Ｕ３による各種画面の表示の要求に応じて、ユーザ端末Ｕ１〜Ｕ３に上記コンテンツを送信する。コンテンツ提供サーバ１０は、ユーザ端末Ｕ１〜Ｕ３に送信されるコンテンツを所定期間毎に更新する。例えば、コンテンツ提供サーバ１０は、ユーザ端末Ｕ１〜Ｕ３に送信されるコンテンツを１日毎に更新する。
【００２０】
さらに、コンテンツ提供サーバ１０は、ユーザ端末Ｕ１〜Ｕ３から送信される複数のユーザによるコンテンツを指定する指定情報に基づいて各種ランキングを生成し、ユーザ端末Ｕ１〜Ｕ３による各種画面の表示の要求に応じて、生成された各種ランキングを示す情報をユーザ端末Ｕ１〜Ｕ３に送信する。
【００２１】
例えば、コンテンツ提供サーバ１０は、各コンテンツが複数のユーザから指定された回数に基づいてコンテンツランキングを生成する。そして、コンテンツ提供サーバ１０は、ユーザ端末Ｕ１〜Ｕ３による各種画面の表示の要求に応じて、生成されたコンテンツランキングを示す情報をユーザ端末Ｕ１〜Ｕ３に送信する。ユーザは、コンテンツランキングを見ることにより、各コンテンツに対する複数のユーザの推薦度合いを知ることができる。
【００２２】
また、コンテンツ提供サーバ１０は、各コンテンツが複数のユーザから指定された回数に基づいて複数のユーザへポイントを付与する。ゆえに、コンテンツの推薦に対するユーザのモチベーションを向上させることができる。従って、複数のユーザによるコンテンツの推薦を促進することが可能である。
【００２３】
また、コンテンツ提供サーバ１０は、各ユーザに付与されたポイントに基づいてユーザランキングを生成する。そして、コンテンツ提供サーバ１０は、ユーザ端末Ｕ１〜Ｕ３による各種画面の表示の要求に応じて、生成されたユーザランキングを示す情報をユーザ端末Ｕ１〜Ｕ３に送信する。ユーザは、ユーザランキングを見ることにより、各ユーザの累積ポイントの順位を知ることができる。また、コンテンツ提供サーバ１０は、各ユーザの累積ポイントを記憶し、一定期間ユーザランキングの更新を繰り返す。
【００２４】
＜＜２．本開示の実施形態に係るコンテンツ提供サーバ＞＞
＜２−１．機能構成＞
前節では、本開示の実施形態に係る情報処理システムの概要について説明した。続いて、図２〜図９を参照して、本開示の実施形態に係るコンテンツ提供サーバ１０の論理的機能の構成を説明する。
【００２５】
図２は、本開示の実施形態に係るコンテンツ提供サーバ１０の論理的機能の構成の具体例を示す説明図である。図２に示したように、コンテンツ提供サーバ１０は、通信部１００と、記憶部２００と、制御部３００と、を備える。
【００２６】
[通信部]
通信部１００は、有線又は無線の情報ネットワーク１を介してコンテンツ提供サーバ１０の外部の装置と通信する。例えば、通信部１００は、各種画面の表示の要求をユーザ端末Ｕから受信し、受信された各種画面の表示の要求を制御部３００へ出力する。また、通信部１００は、コンテンツを指定する指定情報を複数のユーザの各々からユーザ端末Ｕを介して取得し、複数のユーザから取得された複数の指定情報を記憶部２００へ記憶させる。さらに、通信部１００は、コンテンツ提供元サーバＶから送信されたコンテンツを受信し、受信されたコンテンツを記憶部２００へ記憶させる。また、通信部１００は、制御部３００から入力されたコンテンツ等の情報をユーザ端末Ｕへ送信する。
【００２７】
また、通信部１００は、コンテンツ提供元サーバＶから各コンテンツの属するカテゴリを示すカテゴリ情報を受信し、受信された各コンテンツのカテゴリ情報を記憶部２００へ記憶させてもよい。ここで、カテゴリとして、例えば、社会、政治、国際、経済、ＩＴ、スポーツ、及びエンターテインメント等が用いられてもよい。
【００２８】
[記憶部]
記憶部２００は、制御部３００における各種処理のために参照されるデータを記憶する。例えば、記憶部２００は、ユーザ端末Ｕから送信された複数の指定情報、コンテンツ提供元サーバＶから送信されたコンテンツ、コンテンツランキング生成部３０６により生成されたコンテンツランキングを示す情報、及び順位付け部３１２により生成されたユーザランキングを示す情報を記憶する。
【００２９】
[制御部]
制御部３００は、表示制御部３０２と、算出部３０４と、コンテンツランキング生成部３０６と、抽出部３０８と、付与部３１０と、順位付け部３１２と、を備える。
【００３０】
（表示制御部）
表示制御部３０２は、通信部１００から制御部３００へ各種画面の表示の要求が入力された場合、入力された各種画面の表示の要求に応じてコンテンツ等の情報を通信部１００に出力する。表示制御部３０２は、コンテンツ等の情報を通信部１００に送信させることにより、ユーザ端末Ｕにコンテンツ等の情報を表示させる。例えば、表示制御部３０２は、コンテンツ提供元サーバＶから送信されたコンテンツを記憶部２００から取得し、通信部１００から制御部３００へ入力された各種画面の表示の要求に応じて、上記コンテンツをユーザ端末Ｕに表示させる。
【００３１】
具体的には、表示制御部３０２は、コンテンツ提供元サーバＶから送信された複数のコンテンツからコンテンツリストを生成し、生成されたコンテンツリストを記憶部２００に記憶させる。そして、表示制御部３０２は、記憶部２００に記憶されたコンテンツリストを示すコンテンツリスト画面をユーザ端末Ｕに表示させる。また、表示制御部３０２は、所定期間毎にコンテンツリストを生成し、記憶部２００に記憶されるコンテンツリストを更新する。例えば、表示制御部３０２は、コンテンツリストを１日毎に更新する。
【００３２】
なお、表示制御部３０２は、同一のコンテンツ提供元サーバＶから送信された複数のコンテンツからなるコンテンツリストを生成してもよい。また、表示制御部３０２は、記憶部２００から各コンテンツのカテゴリ情報を取得し、取得された各コンテンツのカテゴリ情報に基づいて同一のカテゴリに属する複数のコンテンツからなるコンテンツリストを生成してもよい。
【００３３】
図３は、ユーザ端末Ｕに表示されるコンテンツリスト画面５１の具体例を示す説明図である。図３において、複数のコンテンツの中の１つのコンテンツを示す領域の一例として、コンテンツ表示領域Ａ１００が示されている。コンテンツ表示領域Ａ１００において、例えば、コンテンツの記事Ａ１０２及び画像Ａ１０４が表示される。さらに、コンテンツ表示領域Ａ１００において、コンテンツを指定するためのコンテンツ指定ボタンＡ１０６及び他のユーザによるコンテンツの指定情報Ａ１０８が表示される。
【００３４】
表示制御部３０２は、コンテンツリスト画面５１においてコンテンツ指定ボタンＡ１０６をユーザに選択させることにより、ユーザへコンテンツを指定させる。それにより、ユーザは、ユーザ端末Ｕに表示された複数のコンテンツの中から他のユーザへ推薦したいコンテンツを指定することができる。図３に示したように、他のユーザによるコンテンツの指定情報Ａ１０８は、例えば、他のユーザによるコンテンツに対する印象を表すオブジェクトに関するオブジェクト情報であってもよい。なお、表示制御部３０２は、他のユーザによるコンテンツの指定情報Ａ１０８として表示されるオブジェクトの数を一定の数に制限してもよい。
【００３５】
表示制御部３０２は、ユーザがコンテンツを指定することができる期間を所定期間に制限する。例えば、表示制御部３０２は、コンテンツリストを１日毎に更新することにより、ユーザがコンテンツを指定することができる期間を１日に制限してもよい。以下、ユーザがコンテンツを指定することのできる期間を指定期間とも呼ぶ。
【００３６】
また、表示制御部３０２は、所定期間内に各ユーザが指定することができるコンテンツの数を決定する。例えば、指定期間が１日である場合、表示制御部３０２は、１日に各ユーザが指定することができるコンテンツの数を一定の数に制限してもよい。
【００３７】
さらに、表示制御部３０２は、各ユーザのコンテンツ提供サーバ１０へのアクセス頻度に基づいて、各ユーザが所定期間内に指定することができるコンテンツの数を決定してもよい。例えば、表示制御部３０２は、コンテンツ提供サーバ１０へのユーザのアクセス頻度が高いほど、当該ユーザが所定期間内に指定することができるコンテンツの数を多くしてもよい。
【００３８】
なお、コンテンツ表示領域Ａ１００において、コンテンツの画像Ａ１０４及び他のユーザによるコンテンツの指定情報Ａ１０８は表示されなくてもよい。また、本開示の技術的範囲は、コンテンツ指定ボタンＡ１０６が「イチオシ」という文字からなる例に限定されず、コンテンツ指定ボタンＡ１０６は他の文字、図形又は記号若しくはこれらの組み合わせからなってもよい。
【００３９】
図３に示したように、コンテンツリスト画面５１は、画面を切り替えるための総合タブＴ１、新着タブＴ２及びランキングタブＴ３を含んでもよい。表示制御部３０２は、ユーザへ各種タブを選択させることにより、各種タブに応じた画面をユーザ端末Ｕに表示させる。図３に示したコンテンツリスト画面５１は、新着タブＴ２が選択された場合に表示される画面である。なお、ランキングタブＴ３が選択された場合に表示される各種ランキング画面については後述する。また、表示制御部３０２は、総合タブＴ１が選択された場合、コンテンツリスト画面５１及び各種ランキング画面を並べてユーザ端末Ｕに表示させる。
【００４０】
また、表示制御部３０２は、コンテンツの記事Ａ１０２のタップ又はクリックなどの所定のユーザ入力に応じて、コンテンツ表示領域Ａ１００に対応するコンテンツの詳細な情報を示すコンテンツ詳細画面をユーザ端末Ｕに表示させてもよい。
【００４１】
図４は、ユーザ端末Ｕに表示されるコンテンツ詳細画面５３の具体例を示す説明図である。図４に示したコンテンツ詳細画面５３において、図３に示したコンテンツの記事Ａ１０２及び画像Ａ１０４と比較し、コンテンツ表示領域Ａ１００に対応するコンテンツのより詳細な記事Ｂ１０２、記事Ｂ１１０及び画像Ｂ１０４が表示される。また、図４に示したコンテンツ詳細画面５３において、外部サイトへのリンクボタンＢ１１２が表示される。表示制御部３０２は、ユーザへリンクボタンＢ１１２を選択させることにより、当該コンテンツの提供元のコンテンツ提供元サーバＶとの通信をユーザ端末Ｕに行わせる。それにより、ユーザへ当該コンテンツのさらに詳細な情報を提供することが可能である。
【００４２】
図３に示したコンテンツリスト画面５１又は図４に示したコンテンツ詳細画面５３において、コンテンツ指定ボタンＡ１０６がユーザに選択された場合に、表示制御部３０２は、当該コンテンツに対する印象を表すオブジェクトをユーザに選択させるためのオブジェクト選択ウィンドウ５５をユーザ端末Ｕに表示させてもよい。
【００４３】
図５は、ユーザ端末Ｕに表示されるオブジェクト選択ウィンドウ５５の具体例を示す説明図である。オブジェクト選択ウィンドウ５５は、当該コンテンツに対する印象をそれぞれ表す複数のオブジェクトＬ１〜Ｌ４と、決定ボタンＣ１０２と、キャンセルボタンＣ１０４と、を含む。図５に示したように、オブジェクトＬ１〜Ｌ４は、それぞれ互いに異なる文字及び記号によって当該コンテンツに対する互いに異なる印象を表す。ユーザによりオブジェクトＬ１〜Ｌ４のいずれか１つが選択され、さらに決定ボタンＣ１０２が選択された場合、ユーザ端末Ｕは、ユーザにより選択されたオブジェクトに関するオブジェクト情報を含む指定情報をコンテンツ提供サーバ１０に送信する。一方、ユーザによりキャンセルボタンＣ１０４が選択された場合、ユーザ端末Ｕは、ユーザにより選択されたオブジェクトに関するオブジェクト情報を含む指定情報をコンテンツ提供サーバ１０に送信せず、表示制御部３０２は、ユーザ端末Ｕにオブジェクト選択ウィンドウ５５を閉じさせる。
【００４４】
なお、図５において示したオブジェクトＬ１〜Ｌ４の数及び外観は一例に過ぎず、オブジェクトの数は４以外であってもよく、オブジェクトは他の文字、図形又は記号若しくはこれらの組み合わせからなってもよい。また、オブジェクトの外観は、指定期間、コンテンツの属するカテゴリ、又はコンテンツの提供元などに応じて異なってもよい。また、本開示の技術的範囲は、決定ボタンＣ１０２及びキャンセルボタンＣ１０４がそれぞれ「イチオシする」及び「キャンセル」という文字からなる例に限定されず、決定ボタンＣ１０２及びキャンセルボタンＣ１０４は他の文字、図形又は記号若しくはこれらの組み合わせからなってもよい。
【００４５】
また、表示制御部３０２は、ユーザにより選択されたオブジェクトをユーザに確認させるための確認ウィンドウをユーザ端末Ｕに表示させてもよい。例えば、オブジェクト選択ウィンドウ５５において、ユーザによりオブジェクトＬ１が選択され、さらに決定ボタンＣ１０２が選択された場合、表示制御部３０２は、図６に示した確認ウィンドウ５７をユーザ端末Ｕに表示させる。確認ウィンドウ５７は、ユーザにより選択されたオブジェクトＬ１と、確認ボタンＤ１０２と、を含む。ユーザにより確認ボタンＤ１が選択された場合、表示制御部３０２は、ユーザ端末Ｕに確認ウィンドウ５７を閉じさせる。
【００４６】
なお、本開示の技術的範囲は、確認ボタンＤ１０２が「閉じる」という文字からなる例に限定されず、確認ボタンＤ１０２は他の文字、図形又は記号若しくはこれらの組み合わせからなってもよい。
【００４７】
ユーザによるコンテンツの指定が行われた場合、表示制御部３０２は、図３及び図４を参照してそれぞれ説明したコンテンツリスト画面及びコンテンツ詳細画面において、ユーザによるコンテンツの指定情報を表示させてもよい。例えば、図６に示した確認ウィンドウ５７が閉じられた後、表示制御部３０２は、図７に示したコンテンツリスト画面５９をユーザ端末Ｕに表示させてもよい。図７に示したコンテンツ表示領域Ａ１００において、コンテンツ指定ボタンＡ１０６は表示されず、ユーザにより選択されたオブジェクトＬ１が指定情報として表示される。
【００４８】
（算出部）
算出部３０４は、複数のユーザから取得された複数の指定情報を記憶部２００から取得し、複数のユーザから取得された複数の指定情報に基づいて、各コンテンツが複数のユーザから指定された回数を算出する。そして、算出部３０４は、算出された上記回数をコンテンツランキング生成部３０６へ出力する。
【００４９】
算出部３０４は、各コンテンツが複数のユーザから指定された回数を、指定期間が経過する毎に算出してもよい。例えば、指定期間が１日である場合、算出部３０４は、前日指定対象であった各コンテンツが複数のユーザから指定された回数を１日が経過する毎に算出してもよい。
【００５０】
（コンテンツランキング生成部）
コンテンツランキング生成部３０６は、算出部３０４により算出された各コンテンツが複数のユーザから指定された回数に基づいてコンテンツランキングを生成する。例えば、コンテンツランキング生成部３０６は、複数のユーザから指定された回数の多い順にコンテンツランキングを生成する。そして、コンテンツランキング生成部３０６は、生成されたコンテンツランキングを記憶部２００に記憶させる。また、コンテンツランキング生成部３０６は、指定期間が経過する毎にコンテンツランキングを生成し、記憶部２００に記憶されるコンテンツランキングを更新する。
【００５１】
表示制御部３０２は、所定のユーザ入力に応じて、記憶部２００に記憶されたコンテンツランキングを示すコンテンツランキング画面をユーザ端末Ｕに表示させる。例えば、図３に示したコンテンツリスト画面５１において、ユーザによりランキングタブＴ３が選択された場合、表示制御部３０２は、前日指定対象であったコンテンツに関するコンテンツランキング画面をユーザ端末Ｕに表示させる。なお、コンテンツランキング画面において、一定の順位より低い順位のコンテンツは表示されなくてもよい。
【００５２】
図８は、ユーザ端末Ｕに表示されるコンテンツランキング画面６１の具体例を示す説明図である。図８において、複数のコンテンツの中の１つのコンテンツを示す領域の一例として、コンテンツ表示領域Ｆ１００が示されている。コンテンツ表示領域Ｆ１００において、例えば、コンテンツの記事Ｆ１０２及び画像Ｆ１０４が表示される。さらに、コンテンツ表示領域Ｆ１００において、他のユーザによるコンテンツの指定情報Ｆ１０８が表示される。図８に示したように、他のユーザによるコンテンツの指定情報Ｆ１０８は、例えば、コンテンツに対する印象をそれぞれ表すオブジェクトが選択された回数の比率に関する情報であってもよい。また、コンテンツ表示領域Ｆ１００において、他のユーザによるコンテンツの指定情報Ｆ１０８の一部としてコンテンツに対する印象をそれぞれ表すオブジェクトが表示されてもよく、表示されるオブジェクトの外観は指定期間、コンテンツの属するカテゴリ、又はコンテンツの提供元などに応じて異なってもよい。
【００５３】
また、図８に示したように、コンテンツランキング画面６１は、画面を切り替えるためのイチオシ記事ボタンＳ１及びユーザボタンＳ２を含んでもよい。図８に示したコンテンツランキング画面６１は、イチオシ記事ボタンＳ１が選択された場合に表示される画面である。なお、ユーザボタンＳ２が選択された場合に表示されるユーザランキング画面については後述する。
【００５４】
また、表示制御部３０２は、コンテンツの記事Ｆ１０２のタップ又はクリックなどの所定のユーザ入力に応じて、コンテンツ表示領域Ｆ１００に対応するコンテンツの詳細な情報を示すコンテンツ詳細画面をユーザ端末Ｕに表示させてもよい。
【００５５】
なお、前日指定対象であった複数のコンテンツのそれぞれの属するカテゴリが同一でない場合、コンテンツランキング生成部３０６は、カテゴリ毎に複数のコンテンツランキングを生成してもよい。
【００５６】
（抽出部）
抽出部３０８は、コンテンツランキング生成部３０６により生成されたコンテンツランキングに基づいてコンテンツを抽出する。抽出部３０８は、例えば、コンテンツランキングの中で予め設定された閾値以上の順位のコンテンツを抽出する。
【００５７】
なお、コンテンツランキング生成部３０６によりカテゴリ毎に複数のコンテンツランキングが生成される場合、抽出部３０８は、生成された複数のコンテンツランキング毎にコンテンツを抽出してもよい。
【００５８】
（付与部）
付与部３１０は、算出部３０４により算出された各コンテンツが複数のユーザから指定された回数に基づいて複数のユーザへのポイントの付与を制御する。例えば、付与部３１０は、抽出部３０８により抽出されたコンテンツを指定したユーザへポイントを付与する。また、付与部３１０は、各ユーザへ付与するポイントを示す情報を順位付け部３１２へ出力する。
【００５９】
また、付与部３１０は、複数のユーザから取得された複数のオブジェクト情報に基づいてポイントの付与を制御してもよい。例えば、付与部３１０は、抽出部３０８により抽出されたコンテンツについてそれぞれのオブジェクトが選択された回数の比率に基づいてユーザへポイントを付与してもよい。具体的には、付与部３１０は、抽出部３０８により抽出されたコンテンツについて複数のユーザにより選択された回数の比率が高いオブジェクトを選択したユーザほど、付与されるポイントが高くなるようにポイントを制御してもよい。
【００６０】
また、付与部３１０は、各コンテンツのカテゴリ情報及び算出部３０４により算出された各コンテンツが複数のユーザから指定された回数に基づいてポイントの付与を制御してもよい。例えば、カテゴリ毎に複数のコンテンツランキングが生成され、複数のコンテンツランキング毎にコンテンツが抽出された場合、付与部３１０は、抽出されたコンテンツを指定したユーザへ当該コンテンツの属するカテゴリに基づいてポイントを付与してもよい。なお、付与部３１０は、指定期間やユーザにより指定されたコンテンツの配信元に基づいてポイントの付与を制御してもよい。
【００６１】
また、付与部３１０は、１つのユーザにより指定されたコンテンツの全てが抽出部３０８により抽出されたコンテンツに含まれる場合、当該１つのユーザへさらにポイントを付与してもよい。
【００６２】
また、付与部３１０は、各コンテンツについて最先にコンテンツを指定したユーザにポイントを付与してもよい。ユーザは、例えば、ユーザ端末Ｕに表示される他のユーザによるコンテンツの指定情報を参考に、他のユーザにより指定されていないコンテンツを指定することによって、ポイントを獲得することができる。それによって、他のユーザにより指定されていないコンテンツの指定に対するユーザの抵抗感を低減することができる。
【００６３】
また、付与部３１０は、前回の指定期間におけるコンテンツの指定により１つのユーザへポイントが付与されたか否かに応じて、今回の指定期間におけるコンテンツの指定により当該１つのユーザへ付与されるポイントを制御してもよい。例えば、付与部３１０は、前回の指定期間におけるコンテンツの指定により１つのユーザへポイントが付与された場合、前回の指定期間におけるコンテンツの指定により１つのユーザへポイントが付与されていない場合と比較し、今回の指定期間におけるコンテンツの指定により当該１つのユーザへ付与されるポイントを高くしてもよい。
【００６４】
なお、付与部３１０によりユーザへ付与されるポイントは、インセンティブの一例に過ぎず、本開示の技術的範囲は係る例に限定されない。例えば、付与部３１０は、ユーザへインセンティブとして電子クーポンや当該ユーザにより指定されたコンテンツに関連する追加的な情報等を付与してもよい。
【００６５】
（順位付け部）
順位付け部３１２は、付与部３１０により複数のユーザの各々に付与されたポイントに基づいて複数のユーザの順位付けを行う。具体的には、順位付け部３１２は、付与部３１０から入力された各ユーザへ付与するポイントを示す情報に基づいてユーザランキングを生成し、及び更新することにより、複数のユーザの順位付けを行う。まず、順位付け部３１２は、最初の指定期間経過時にユーザランキングを生成し、生成されたユーザランキング及び各ユーザへ付与されたポイントを記憶部２００に記憶させる。その後、順位付け部３１２は、記憶部２００に記憶されるユーザランキング及び各ユーザへ付与されたポイントの更新を指定期間が経過する毎に一定期間繰り返す。
【００６６】
表示制御部３０２は、所定のユーザ入力に応じて、記憶部２００に記憶されたユーザランキングを示すユーザランキング画面をユーザ端末Ｕに表示させる。例えば、図８に示したコンテンツランキング画面６１において、ユーザによりユーザボタンＳ２が選択された場合、表示制御部３０２は、図９に示したユーザランキング画面６３をユーザ端末Ｕに表示させる。図９において、複数のユーザの中の１つのユーザを示す領域の一例として、ユーザ表示領域Ｇ１００が示されている。ユーザ表示領域Ｇ１００において、例えば、ユーザの画像Ｇ１０２、名前Ｇ１０４及び累積ポイントＧ１０６が表示される。また、順位付け部３１２によるユーザランキングの更新が繰り返される期間は複数存在してもよい。例えば、図９に示した前半戦に相当する期間及び後半戦に相当する期間において、互いに異なるユーザランキングが生成され、及び更新されてもよい。
【００６７】
なお、順位付け部３１２によるユーザランキングの更新が繰り返される期間が終了した時点でのランキング上位者に対し、付与部３１０は、電子クーポン等の特典を付与してもよい。また、順位付け部３１２は、ポイントを獲得した各ユーザにより指定されたコンテンツの属するカテゴリに基づいて、カテゴリ毎にユーザランキングを生成してもよく、その場合、ランキング上位者に対し付与部３１０により付与される特典は、ユーザランキングのカテゴリ毎に異なってもよい。
【００６８】
＜２−２．動作＞
続いて、図１０を参照して、本開示の実施形態に係るコンテンツ提供サーバ１０が行う処理の流れを説明する。なお、以下のコンテンツ提供サーバ１０が行う処理の流れの説明において、指定期間は１日であるものとする。
【００６９】
図１０は、本開示の実施形態に係るコンテンツ提供サーバ１０が行う処理の流れの具体例を示すフローチャートである。図１０に示したように、まず、通信部１００は、コンテンツを指定する指定情報を複数のユーザの各々から取得すると（ステップＳ５０２）、取得された複数の指定情報を記憶部２００へ記憶させる。１日が経過していない場合（ステップＳ５０４／ＮＯ）、ステップＳ５０２の処理へ戻る。一方、１日が経過した場合（ステップＳ５０４／ＹＥＳ）、表示制御部３０２は、ユーザ端末Ｕに表示させるコンテンツリストを生成し（ステップＳ５０６）、生成されたコンテンツリストを記憶部２００へ記憶させる。そして、算出部３０４は複数のユーザから取得された複数の指定情報に基づいて、各コンテンツが複数のユーザから指定された回数を算出する（ステップＳ５０８）。次に、コンテンツランキング生成部３０６は、各コンテンツが複数のユーザから指定された回数に基づいてコンテンツランキングを生成し（ステップＳ５１０）、生成されたコンテンツランキングを記憶部２００へ記憶させる。そして、抽出部３０８は、コンテンツランキングに基づいてコンテンツを抽出する（ステップＳ５１２）。次に、付与部３１０は、抽出されたコンテンツを指定したユーザへポイントを付与する（ステップＳ５１４）。そして、順位付け部３１２は、複数のユーザの各々に付与されたポイントに基づいて記憶部２００に記憶されるユーザランキングを更新する（ステップＳ５１６）。次に、ユーザランキングの更新が繰り返される期間が経過していない場合（ステップＳ５１８／ＮＯ）、ステップＳ５０２の処理へ戻る。一方、ユーザランキングの更新が繰り返される期間が経過している場合（ステップＳ５１８／ＹＥＳ）、図１０に示した処理は終了する。
【００７０】
＜２−３．効果＞
上述した実施形態によれば、算出部３０４は、複数のユーザから取得された複数の指定情報に基づいて、各コンテンツが複数のユーザから指定された回数を算出し、付与部３１０は、算出部３０４により算出された各コンテンツが複数のユーザから指定された回数に基づいて複数のユーザへのインセンティブの付与を制御する。それにより、複数のユーザによるコンテンツの推薦を促進することが可能である。
【００７１】
また、ある実施形態によれば、順位付け部３１２は、付与部３１０により複数のユーザの各々に付与されたポイントに基づいて複数のユーザの順位付けを行う。それにより、ユーザの目標達成意欲を刺激することが可能である。
【００７２】
また、ある実施形態によれば、表示制御部３０２は、ユーザがコンテンツを指定することができる期間を所定期間に制限する。それにより、ユーザへ提供されるコンテンツの更新頻度を高めることが可能である。従って、ユーザにとって関心の高いコンテンツを提供することが可能である。
【００７３】
また、ある実施形態によれば、表示制御部３０２は、所定期間内に各ユーザが指定することができるコンテンツの数を決定する。それにより、他のユーザへ推薦したいコンテンツとして尤もらしいコンテンツをユーザに指定させることが可能である。
【００７４】
また、ある実施形態によれば、表示制御部３０２は、各ユーザのコンテンツ提供サーバ１０へのアクセス頻度に基づいて、各ユーザが所定期間内に指定することができるコンテンツの数を決定する。それにより、コンテンツ提供サービスの利用を促進することが可能である。
【００７５】
また、ある実施形態によれば、通信部１００により取得される指定情報は、コンテンツに対する印象をそれぞれ表す複数のオブジェクトの中から、ユーザにより選択されたオブジェクトに関するオブジェクト情報を含む。それにより、複数のユーザによる各コンテンツに対する印象のユーザへの通知を円滑化することが可能である。
【００７６】
また、ある実施形態によれば、付与部３１０は、ユーザへ付与されるインセンティブを、複数のユーザから取得された複数のオブジェクト情報に基づいて制御する。それにより、コンテンツに対する印象として尤もらしい印象をユーザに選択させることが可能である。
【００７７】
また、ある実施形態によれば、各コンテンツのカテゴリ情報及び算出部３０４により算出された各コンテンツが複数のユーザから指定された回数に基づいて複数のユーザへのインセンティブの付与を制御する。それにより、複数のユーザのそれぞれが興味を有するカテゴリが互いに異なる場合であっても、複数のユーザのそれぞれの目標達成意欲を刺激することが可能である。
【００７８】
＜２−４．応用例＞
前節では、複数のユーザによるコンテンツの推薦を促進することが可能な本開示の実施形態について説明した。本節では、さらに、ユーザによる他のユーザとのコンテンツの共有を円滑化することが可能な応用例について説明する。
【００７９】
応用例において、表示制御部３０２は、抽出部３０８により抽出されたコンテンツを指定し、付与部３１０によりポイントが付与されたユーザによる、コンテンツ提供サーバ１０が提供するネットワークサービス以外のネットワークサービス上での上記コンテンツの他のユーザとの共有を許可する機能を有する。
【００８０】
具体的には、表示制御部３０２は、抽出部３０８により抽出されたコンテンツを指定し、付与部３１０によりポイントが付与されたユーザの利用するユーザ端末Ｕに、シェアボタンを表示させることにより、上記機能を実現する。ここで、ユーザ端末Ｕに表示されるシェアボタンは、コンテンツ提供サーバ１０が提供するネットワークサービス以外のネットワークサービス（例えばソーシャルネットワークサービス）上で上記コンテンツを他のユーザと共有するためのボタンである。以下、このようなシェアボタンの表示の例について説明する。
【００８１】
図１１は、応用例において、表示制御部３０２によりユーザ端末Ｕに表示されるコンテンツランキング画面６５の具体例を示す説明図である。図１１において、複数のコンテンツの中の１つのコンテンツを示す領域の一例として、コンテンツ表示領域Ｆ１００が示されている。コンテンツランキング画面６５は、コンテンツ表示領域Ｆ１００に対応するコンテンツが、抽出部３０８により抽出され、ユーザにより当該コンテンツが指定されていた場合にユーザ端末Ｕに表示され得る画面である。図１１に示したように、コンテンツ表示領域Ｆ１００において、コンテンツ表示領域Ｆ１００に対応するコンテンツのシェアボタンＨ１０２が表示される。
【００８２】
図１２は、応用例において、表示制御部３０２によりユーザ端末Ｕに表示されるコンテンツ詳細画面６７の具体例を示す説明図である。図１２に示したコンテンツ詳細画面６７は、図１１に示したコンテンツランキング画面６５のコンテンツの記事Ｆ１０２のタップ又はクリックなどの所定のユーザ入力に応じて表示される画面であり、図１１に示したコンテンツ表示領域Ｆ１００に対応するコンテンツの詳細な情報を示す。図１２に示したコンテンツ詳細画面６７において、図１１に示したコンテンツランキング画面６５と同様に、シェアボタンＨ１０２が表示される。なお、コンテンツ詳細画面６７により示されるコンテンツは、コンテンツ詳細画面６７が表示されている時点ではユーザによる指定対象のコンテンツではない。ゆえに、図１２に示したように、コンテンツ詳細画面６７において、他のユーザによるコンテンツの指定情報Ｆ１０８として、当該コンテンツに対する印象をそれぞれ表すオブジェクトが選択された回数の比率に関する情報が表示されてもよい。
【００８３】
ユーザは、図１１及び図１２に示したシェアボタンＨ１０２を選択することにより、コンテンツ提供サーバ１０が提供するネットワークサービス以外のネットワークサービス上で図１１に示したコンテンツ表示領域Ｆ１００に対応するコンテンツを他のユーザと共有することができる。
【００８４】
また、応用例において、付与部３１０は、表示制御部３０２により許可された他のユーザとのコンテンツの共有を行ったユーザに、さらにポイントを付与する。また、付与部３１０は、複数のユーザが他のユーザとのコンテンツの共有を行った順序に応じて、複数のユーザへ付与するポイントを制御してもよい。例えば、付与部３１０は、他のユーザとのコンテンツの共有を行った順番が早いユーザほど、付与されるポイントが高くなるようにポイントを制御してもよい。
【００８５】
上述した応用例によれば、表示制御部３０２は、抽出部３０８により抽出されたコンテンツを指定したユーザによる、コンテンツ提供サーバ１０が提供するネットワークサービス以外のネットワークサービス上での上記コンテンツの他のユーザとの共有を許可する。それにより、ユーザによる他のユーザとのコンテンツの共有を円滑化することが可能である。
【００８６】
また、ある応用例によれば、付与部３１０は、表示制御部３０２により許可された他のユーザとのコンテンツの共有を行ったユーザに、さらにポイントを付与する。それにより、他のユーザとのコンテンツの共有の許可の有無に対するユーザの関心が高まるため、コンテンツ提供サービスの利用頻度を向上させることが可能である。
【００８７】
＜＜３．ハードウェア構成＞＞
以上、本開示の実施形態を説明した。上述したコンテンツ提供サーバ１０の処理は、ソフトウェアと、以下に説明するコンテンツ提供サーバ１０のハードウェアとの協働により実現される。
【００８８】
図１３は、本開示に係るコンテンツ提供サーバ１０のハードウェア構成を示した説明図である。図１３に示したように、コンテンツ提供サーバ１０は、ＣＰＵ（Ｃｅｎｔｒａｌ  Ｐｒｏｃｅｓｓｉｎｇ  Ｕｎｉｔ）１４２と、ＲＯＭ（Ｒｅａｄ  Ｏｎｌｙ  Ｍｅｍｏｒｙ）１４４と、ＲＡＭ（Ｒａｎｄｏｍ  Ａｃｃｅｓｓ  Ｍｅｍｏｒｙ）１４６と、ブリッジ１４８と、バス１５０と、インターフェース１５２と、入力装置１５４と、出力装置１５６と、ストレージ装置１５８と、ドライブ１６０と、接続ポート１６２と、通信装置１６４とを備える。
【００８９】
ＣＰＵ１４２は、演算処理装置および制御装置として機能し、各種プログラムと協働してコンテンツ提供サーバ１０内の制御部３００の動作を実現する。また、ＣＰＵ１４２は、マイクロプロセッサであってもよい。ＲＯＭ１４４は、ＣＰＵ１４２が使用するプログラムまたは演算パラメータ等を記憶する。ＲＡＭ１４６は、ＣＰＵ１４２の実行において使用するプログラムまたは実行において適宜変化するパラメータ等を一時記憶する。ＣＰＵ１４２、ＲＯＭ１４４およびＲＡＭ１４６は、ＣＰＵバスなどから構成される内部バスにより相互に接続されている。
【００９０】
入力装置１５４は、例えば、マウス、キーボード、タッチパネル、ボタン、マイクロホン、スイッチおよびレバーなどユーザが情報を入力するための入力手段であり、ユーザによる入力に基づいて入力信号を生成し、ＣＰＵ１４２に出力する入力制御回路などから構成されている。コンテンツ提供サーバ１０のユーザは、入力装置１５４を操作することにより、コンテンツ提供サーバ１０に対して各種のデータを入力したり処理動作を指示したりすることができる。
【００９１】
出力装置１５６は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプなどの装置への出力を行う。さらに、出力装置１５６は、スピーカおよびヘッドフォンなどの音声出力を行ってもよい。
【００９２】
ストレージ装置１５８は、データ格納用の装置である。ストレージ装置１５８は、記憶媒体、記憶媒体にデータを記録する記録装置、記憶媒体からデータを読み出す読出し装置および記憶媒体に記録されたデータを削除する削除装置等を含んでもよい。ストレージ装置１５８は、ＣＰＵ１４２が実行するプログラムや各種データを格納する。
【００９３】
ドライブ１６０は、記憶媒体用リーダライタであり、コンテンツ提供サーバ１０に内蔵、あるいは外付けされる。ドライブ１６０は、装着されている磁気ディスク、光ディスク、光磁気ディスク、または半導体メモリ等のリムーバブル記憶媒体に記録されている情報を読み出して、ＲＡＭ１４４に出力する。また、ドライブ１６０は、リムーバブル記憶媒体に情報を書込むこともできる。
【００９４】
接続ポート１６２は、例えば、コンテンツ提供サーバ１０の外部の情報処理装置または周辺機器と接続するためのバスである。また、接続ポート１６２は、ＵＳＢ（Ｕｎｉｖｅｒｓａｌ  Ｓｅｒｉａｌ  Ｂｕｓ）であってもよい。
【００９５】
通信装置１６４は、例えば、ネットワークに接続するための通信デバイスで構成された通信インターフェースである。また、通信装置１６４は、赤外線通信対応装置であっても、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【００９６】
＜＜４．むすび＞＞
以上説明したように、本開示の実施形態によれば、複数のユーザから取得された複数の指定情報に基づいて、各コンテンツが複数のユーザから指定された回数が算出され、算出された各コンテンツが複数のユーザから指定された回数に基づいて複数のユーザへのインセンティブの付与が制御される。それにより、複数のユーザによるコンテンツの推薦を促進することが可能である。
【００９７】
また、ある実施形態によれば、複数のユーザの各々に付与されたポイントに基づいて複数のユーザの順位付けが行われる。それにより、ユーザの目標達成意欲を刺激することが可能である。
【００９８】
また、ある応用例によれば、抽出されたコンテンツを指定したユーザによる、コンテンツ提供サーバが提供するネットワークサービス以外のネットワークサービス上での上記コンテンツの他のユーザとの共有が許可される。それにより、ユーザによる他のユーザとのコンテンツの共有を円滑化することが可能である。
【００９９】
以上では、ユーザによるコンテンツを指定する指定情報に基づいてユーザへ付与されるポイントが制御される例を説明したが、本開示の技術的範囲は係る例に限定されない。例えば、ユーザによるコンテンツを指定する指定情報の一部は、ユーザへ付与されるポイントの制御に影響を与えなくてもよい。
【０１００】
具体的には、コンテンツ提供サーバ１０は、コンテンツリスト画面において、上述したコンテンツ指定ボタンに加えて他のボタンを表示させる。ユーザは当該他のボタンを選択することによって、コンテンツを指示することが可能である。しかし、当該他のボタンがユーザに選択されることによって得られる指示情報は、ユーザへ付与されるポイントの制御に影響を与えない。ゆえに、他のユーザへ推薦したいコンテンツとして、より尤もらしいコンテンツをユーザに指定させることが可能である。
【０１０１】
また、当該他のボタンがユーザに選択されることによって得られる指示情報は、コンテンツ指定ボタンがユーザに選択されることによって得られる指示情報と別にユーザ端末Ｕに表示されてもよい。ゆえに、複数のユーザによって推薦されるより尤もらしいコンテンツの指定情報をユーザに提供することが可能である。
【０１０２】
なお、本明細書において説明した各装置による一連の制御処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体（非一時的な媒体：non-transitory  media）に予め格納される。そして、各プログラムは、例えば、実行時にＲＡＭに読み込まれ、ＣＰＵなどのプロセッサにより実行される。
【０１０３】
また、本明細書においてフローチャートを用いて説明した処理は、必ずしもフローチャートに示された順序で実行されなくてもよい。いくつかの処理ステップは、並列的に実行されてもよい。また、追加的な処理ステップが採用されてもよく、一部の処理ステップが省略されてもよい。
【０１０４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０６】
なお、以下のような構成も本開示の技術的範囲に属する。
（１）
コンテンツを指定する指定情報を複数のユーザの各々から取得する取得部と、
前記複数のユーザから取得された複数の前記指定情報に基づいて、各コンテンツが前記複数のユーザから指定された回数を算出し、算出された前記回数に基づいて前記複数のユーザへのインセンティブの付与を制御する制御部と、
を備える情報処理装置。
（２）
前記インセンティブは、ユーザに付与されるポイントを含み、
前記制御部は、前記複数のユーザの各々に付与された前記ポイントに基づいて、前記複数のユーザの順位付けを行う、
前記（１）に記載の情報処理装置。
（３）
前記制御部は、ユーザがコンテンツを指定することができる期間を所定期間に制限する、前記（１）又は（２）に記載の情報処理装置。
（４）
前記制御部は、前記所定期間内に各ユーザが指定することができるコンテンツの数を決定する、前記（３）に記載の情報処理装置。
（５）
前記制御部は、前記各ユーザの前記情報処理装置へのアクセス頻度に基づいて、前記各ユーザが前記所定期間内に指定することができるコンテンツの数を決定する、前記（４）に記載の情報処理装置。
（６）
前記制御部は、算出された前記回数に基づいてコンテンツを抽出し、抽出されたコンテンツを指定したユーザへインセンティブを付与する、前記（１）から（５）のいずれか一項に記載の情報処理装置。
（７）
前記制御部は、前記抽出されたコンテンツを指定したユーザによる、前記情報処理装置が提供するネットワークサービス以外のネットワークサービス上での前記抽出されたコンテンツの他のユーザとの共有を許可する、前記（６）に記載の情報処理装置。
（８）
前記制御部は、前記他のユーザとの共有を行ったユーザに、さらに前記インセンティブを付与する、前記（７）に記載の情報処理装置。
（９）
前記指定情報は、コンテンツに対する印象をそれぞれ表す複数のオブジェクトの中から、ユーザにより選択されたオブジェクトに関するオブジェクト情報を含む、前記（１）から（８）のいずれか一項に記載の情報処理装置。
（１０）
前記制御部は、ユーザへ付与されるインセンティブを前記複数のユーザから取得された複数の前記オブジェクト情報に基づいて制御する、前記（９）に記載の情報処理装置。
（１１）
前記取得部は、各コンテンツのカテゴリ情報を取得し、
前記制御部は、前記カテゴリ情報及び算出された前記回数に基づいて前記複数のユーザへのインセンティブの付与を制御する、
前記（１）から（１０）のいずれか一項に記載の情報処理装置。
（１２）
コンテンツを指定する指定情報を複数のユーザの各々から情報処理装置によって取得することと、
前記複数のユーザから取得された複数の前記指定情報に基づいて、各コンテンツが前記複数のユーザから指定された回数を算出することと、
算出された前記回数に基づいて前記複数のユーザへのインセンティブの付与を制御することと、
を含む情報処理方法。
（１３）
情報処理装置を制御するコンピュータを、
コンテンツを指定する指定情報を複数のユーザの各々から取得する取得部と、
前記複数のユーザから取得された複数の前記指定情報に基づいて、各コンテンツが前記複数のユーザから指定された回数を算出し、算出された前記回数に基づいて前記複数のユーザへのインセンティブの付与を制御する制御部と、
として機能させるためのプログラム。
【符号の説明】
【０１０７】
１  情報ネットワーク
１０  コンテンツ提供サーバ
Ｖ１、Ｖ２、Ｖ３  コンテンツ提供元サーバ
Ｕ１、Ｕ２、Ｕ３  ユーザ端末
１００  通信部
１４２  ＣＰＵ（Ｃｅｎｔｒａｌ  Ｐｒｏｃｅｓｓｉｎｇ  Ｕｎｉｔ）
１４４  ＲＯＭ（Ｒｅａｄ  Ｏｎｌｙ  Ｍｅｍｏｒｙ）
１４６  ＲＡＭ（Ｒａｎｄｏｍ  Ａｃｃｅｓｓ  Ｍｅｍｏｒｙ）
１４８  ブリッジ
１５０  バス
１５２  インターフェース
１５４  入力装置
１５６  出力装置
１５８  ストレージ装置
１６０  ドライブ
１６２  接続ポート
１６４  通信装置
２００  記憶部
３００  制御部
３０２  表示制御部
３０４  算出部
３０６  コンテンツランキング生成部
３０８  抽出部
３１０  付与部
３１２  順位付け部
【図１】
2016113958.tif 000003
【図２】
2016113958.tif 000004
【図３】
2016113958.tif 000005
【図４】
2016113958.tif 000006
【図５】
2016113958.tif 000007
【図６】
2016113958.tif 000008
【図７】
2016113958.tif 000009
【図８】
2016113958.tif 000010
【図９】
2016113958.tif 000011
【図１０】
2016113958.tif 000012
【図１１】
2016113958.tif 000013
【図１２】
2016113958.tif 000014
【図１３】
2016113958.tif 000015
【国際調査報告】
2016113958.tif 000016
2016113958.tif 000017
2016113958.tif 000018
2016113958.tif 000019